(57)【要約】      （修正有）【課題】フックの位置と壁や窓の位置とが、異なる距離であっても、枠体を水平状態に保つことができ、片手で簡単に吊せる物干し具を提供する。【解決手段】方形状の枠体１に、複数のピンチｋと、フックベース３と、このフックベース３に設けられたフック４とを備えた物干し具において、吊持部材は、枠体１上に対向配置された一対の第１及び第２のワイヤー部材２ａ，２ｂを有し、第１及び第２のワイヤー部材２ａ，２ｂは、各々起立可能な素材によって山形に形成され、各々の脚部を枠体１の隅部に回動自在に連結され、フックベース３は、長手方向の両端部に形成された長孔３ｂに、各々第１及び第２のワイヤー部材２ａ，２ｂの頂部が回動自在に連結されることにより、第１及び第２のワイヤー部材２ａ，２ｂの回動する方向に揺動自在に設けられ、かつフック４は、フックベース３の長手方向に向けて移動自在に設けられていることを特徴とする物干し具。【選択図】図１
2009011487.tif 000002
【特許請求の範囲】
【請求項１】
環状の枠体に、対象物を吊持する複数のピンチと、吊持部材を介して連結されたフックベースと、このフックベースに設けられたフックとを備えた物干し具において、
上記吊持部材は、上記枠体上に対向配置された一対の第１及び第２のワイヤー部材を有し、上記第１及び第２のワイヤー部材は、各々単独で起立可能な剛性を有する素材によって山形に形成され、各々の脚部を上記枠体に回動自在に連結されるとともに、
上記フックベースは、長手方向の両端部に形成された長孔に、各々上記第１及び第２のワイヤー部材の頂部が回動自在に連結されることにより、各々上記第１及び第２のワイヤー部材の回動する方向に揺動自在に設けられ、
かつ上記フックは、上記フックベースの上記長手方向に向けて移動自在に設けられていることを特徴とする物干し具。
【請求項２】
上記フックは、上記フックベースの少なくとも中心から、上記長手方向の一方の端部の間を移動自在に設けられていることを特徴とする請求項１に記載の物干し具。
【請求項３】
上記フックベースは、上記長手方向の両側面に貫通する溝部が形成されるとともに、
上記フックは、上記フックベースの上面に当接する平板部と、上記溝部を挿通するピンとを備えたフック取付部材を有し、上記フックベースの上記端部において、上記平板部の上記フックベース上面への当接が解かれることにより、上記フック取付部材に設けられているピンを中心に、上記長手方向の外方に向け回動自在に設けられていることを特徴とする請求項２に記載の物干し具。
【発明の詳細な説明】
【技術分野】
【０００１】
本発明は、洗濯物を室内の鴨居やカーテンレールなどを利用して吊す際にも、枠体を水平状態に保つとともに、高い場所に片手で簡単に吊すことのできる物干し具に関するものである。
【背景技術】
【０００２】
一般的に、曇天時や雨天時に衣類などの洗濯物を室内に干す場合には、枠体に複数のピンチを設けた物干し具を鴨居やカーテンレールを利用して吊すことが多い。ところが、上記のような物干し具は、晴天時に周りに障害物の少ない屋外の物干し竿に吊すことを前提としているため、フック部と枠体を繋ぐ数本の紐体やチェーンを同じ長さに形成することで、上記枠体の水平状態を保つようにしている。
【０００３】
しかし、上記物干し具を室内の鴨居やカーテンレールを利用して干す場合は、壁や窓が障害となり、上記枠体が斜めに傾いてしまう。そのため、洗濯物同士が重なり合って乾燥に時間が掛かるという問題点がある。
【０００４】
また、上記物干し具は、フック部と枠体を繋ぐ部材を柔軟に動くチェーンや紐体などを使用しているため、フック部が単独で起立せず、高い所に吊す場合は、最上部のフック部を手で掴んで吊す必要がある。そのため、椅子や脚立などを利用することになり、作業に手間が掛かるとともに、バランスを崩し椅子や脚立から落ちて怪我をするという危険性もある。
【０００５】
そこで、例えば下記特許文献１のように、針金等の金属からなる吊下げワイヤーを備えた物干し具が提案されている。
【０００６】
この物干し具は、多数固のピンチを備えた本体枠が、一対の吊下げワイヤーを介して吊手に吊持されるもので、吊下げワイヤーは、吊手を本体枠中央上方に位置させる吊手保持部が設けられていると共に、前記吊手保持部から吊手を任意に移動させて本体枠近傍上方に位置変更可能に形成され、各吊下ワイヤーは、下端が本体枠に係止される一対の脚部と、該両脚部の上端から横方向に延設された連結部と、該連結部中央に設けられた門形状吊手保持部とを備えている。
【特許文献１】特開２００７−７５５３７号公報
【発明の開示】
【発明が解決しようとする課題】
【０００７】
ところが、特許文献１に記載の物干し具は、フックの位置が枠体の中心と端部のみに限定されるため、障害となる壁や窓とフックを吊す位置との距離が、場所により異なる場合には、適宜調整することができない。そのため、カーテンレールのように、フックを吊すレールと窓との距離が離れている場合には、上記枠体を水平状態に保つことが困難となる。
【０００８】
さらに、フックベース（ワイヤージョイント）に備えてあるワイヤーの径方向へ移動を許容するワイヤー挿通用長孔が、門形状吊手保持部の脚部の長さより大きく設定されているため、任意の位置で起立を保持する事ができず、最上部のフック部を手で掴みながら鴨居やカーテンレールに吊すことになり、高い場所に吊す場合は椅子や脚立が必要となる。
【０００９】
本発明は、上記物干し具を室内の鴨居やカーテンレールに吊す場合に、フックの位置と障害となる壁や窓の位置とが、場所により異なる距離であっても、上記枠体を水平状態に保つことができるとともに、吊す場所に合わせ、フック部を任意の位置で保持させることにより、片手で簡単に吊せる物干し具を提供することを課題とするものである。
【課題を解決するための手段】
【００１０】
上記課題を解決するために、請求項１に記載の発明は、環状の枠体に、対象物を吊持する複数のピンチと、吊持部材を介して連結されたフックベースと、このフックベースに設けられたフックとを備えた物干し具において、上記吊持部材は、上記枠体上に対向配置された一対の第１及び第２のワイヤー部材を有し、上記第１及び第２のワイヤー部材は、各々単独で起立可能な剛性を有する素材によって山形に形成され、各々の脚部を上記枠体に回動自在に連結されるとともに、上記フックベースは、長手方向の両端部に形成された長孔に、各々上記第１及び第２のワイヤー部材の頂部が回動自在に連結されることにより、各々上記第１及び第２のワイヤー部材の回動する方向に揺動自在に設けられ、かつ上記フックは、上記フックベースの長手方向に向けて移動自在に設けられていることを特徴とするものである。
【００１１】
また、請求項２に記載の本発明は、請求項１に記載の物干し具において、上記フックが、上記フックベースの少なくとも中心から、長手方向の一方の端部の間を移動自在に設けられていることを特徴とするものである。
【００１２】
さらに、請求項３に記載の本発明は、請求項２に記載の物干し具において、上記フックベースが、上記長手方向の両側面に貫通する溝部が形成されるとともに、上記フックは、上記フックベースの上面に当接する平板部と、上記溝部を挿通するピンとを備えたフック取付部材を有し、上記フックベースの上記端部において、上記平板部の上記フックベース上面への当接が解かれることにより、上記フック取付部材に設けられているピンを中心に、上記長手方向の外方に向け回動自在に設けられていることを特徴とするものである。
【発明の効果】
【００１３】
請求項１に記載の本発明によれば、第１及び第２のワイヤー部材は、枠体上に回動自在に立設されているために、フックの位置を壁や窓などの障害物に寄せることができ、上記枠体を簡単な操作によって、水平状態に保つことができる。また、吊持部材を起立可能な一対の第１及び第２のワイヤー部材で形成しているために、上記フックベースを任意の位置に保持することが可能となり、鴨居やカーテンレールなどの高い場所に吊す場合には、上記枠体の下方を片手で担ぎ上げるようにして行うため、椅子や脚立などを使う必要がない。
【００１４】
さらに、上記フックベースは、上記吊持部材の回動する方向へ揺動自在に形成されているとともに、上記フックは、上記フックベースの長手方向に移動自在に設けられているために、上記吊持部材を折り畳んで収納する際に、上記枠体の面内に体裁よく納めることができる。また、上記フックベースは、折り畳んだときに、長手方向の上下を１８０°反転させることができるため、上記枠体自体を１８０°反転させた場合でも使用することができる。このため、低い場所や狭い場所に使用するときに便利である。
【００１５】
請求項２に記載の本発明によれば、上記フックは、上記フックベースの中心から、上記長手方向の端部の間を移動自在に設けられているため、吊す位置と障害となる壁や窓との距離が、使用状況により変わった場合でも、上記位置を簡単に移動させることができ、上記枠体の水平状態の細かな調整を行うことができる。
【００１６】
請求項３に記載の本発明によれば、上記フックベースは、上記長手方向の両側面に溝部を形成することにより、フック取付部材に設けられているピンを挿通させて、上記フック取付部材の移動を自在に行うことができる。また、上記フックベースの上面に当接する平板部を上記フック取付部材に設けることにより、上記フックベースの長手方向の傾倒を防ぐことができるとともに、上記フックベースの端部において、上記フック取付部材を上記長手方向の外方に、上記フック取付部材に設けられているピンを中心に回動自在に形成させることにより、上記フックを鴨居やカーテンレールなどに吊すときに、上記枠体の水平状態を保つための調整を簡単な操作で行うことができる。
【発明を実施するための最良の形態】
【００１７】
図１〜８は、本発明の物干し具の一実施形態を示すものである。この物干し具は、室内の鴨居ｈやカーテンレールｐなどを利用して吊すためのに、フックベース３に設けられたフック４と、フックベース３と枠体１とを連結する第１及び第２のワイヤー部材２ａ，２ｂとを備えた構造のものである。
【００１８】
図１に示すように、枠体１は、アルミパイプにより長方形に形成されたもので、対向する長辺の中心部間に、二本の補強部材７が、フックベース３が通過できる程度の間隔をおいて平行に架設されるとともに、枠体１の内側面の周方向に沿って、フランジ状のピンチ取付部１ａが内設されている。さらに、このピンチ取付部1aには、周方向に一定間隔をおいて孔が穿設されているとともに、この孔には、干し物（対象物）を吊持する複数のピンチｋが係止されている。
【００１９】
そして、枠体１上には、剛性を有する針金により山形に形成された一対の第１及び第２のワイヤー部材２ａ，２ｂが対向配置されるとともに、第１及び第２のワイヤー部材２ａ，２ｂの各々脚部が、枠体１の対向する短辺の角隅部６に回動自在に立設される。そして、第1及び第2のワイヤー部材２ａ，２ｂにより、吊持部材が構成されている。
【００２０】
また、フックベース３は、図３に示すように、中心から長手方向の一方の端部に向かって、両側面が貫通してなる溝部３ａが形成されるとともに、フックベース３の長手方向の両端部に、両側面が貫通してなる長孔３ｂが、溝部３ａより下方に形成されている。
【００２１】
さらに、フックベース３の長手方向の両端部に形成されたる長孔３ｂには、各々第１及び第２のワイヤー部材２ａ，２ｂの頂部が回動自在に遊貫されている。
【００２２】
また、フック取付部材５は、フックベース３の上面に当接する平板部５ａが形成されるとともに、この平板部５ａの両側下部に、フックベース３の両側面に臨む脚部５ｃが、一体に形成されている。そして、これら脚部５ｃに、溝部３に挿通されたピン５ｂの端部が挿通されている。さらに、平板部５ａの上部にフック４が回動自在に立設されている。
【００２３】
以上の構成からなる物干し具を鴨居ｈやカーテンレールｐに吊り下げ使用するには、まず枠体１の短辺の角隅部６に回動自在に連結されている第２のワイヤー部材２ｂを枠体１の外方に向けて起立させるとともに、枠体１の短辺の角隅部６に回動自在に連結されている第１のワイヤー部材２ａを枠体１の内方に向けて傾倒させる。このとき、各々第１及び第２のワイヤー部材２ａ，２ｂの頂部と回動自在に連結されているフックベース３は、枠体１の外方に揺動しながら共に移動する。
【００２４】
次いで、フックベース３の溝部３ａに係合されているフック取付部材５を、枠体１の外方に向けて、フックベース３の中心から長手方向の端部に移動させる。このとき、図６に示すように、鴨居ｈに吊すときには、フック取付部材５に形成されている平板部５ａを、当接するフックベース３の上面から外れない程度の位置に移動させる。また、図７に示すように、カーテンレールｐに吊すときは、フック取付部材５に形成されている平板部５ａを、フックベース３の端部よりも内側の位置に移動させる。
【００２５】
このとき、枠体１上には、使用場所により起立又は傾倒した状態に保持されている第１及び第２のワイヤー部材２ａ，２ｂと、この第１及び第２のワイヤー部材２ａ，２ｂの頂部に連動されて任意の位置に保持されているフックベース３と、このフックベース３に係合されて、適宜最良の位置に移動されているフック取付部材５と、このフック取付部材５に回動自在に設けられ、フックベース３上で起立した状態で保持されているフック４とが、使用状態に応じた傾斜角度で保持されている。
【００２６】
そして、上記の形態に保持したまま枠体１の対向する長辺に架設された二本の補強部７を下から片手で掴み、担ぎ上げるようにして、フック４を鴨居ｈ又はカーテンレールｐに引っかけるとともに、枠体１の長辺の一辺を壁ｔ又は窓ｓに当接させる。このとき、枠体１の水平状態を調整するために、鴨居ｈに吊り下げた場合は、フック取付部材５に回動自在に設けられているフック４を、鴨居ｈに向けて傾倒させる。また、カーテンレールｐに吊り下げた場合は、フック取付部材５をフックベース３の長手方向の中心又は端部方向に移動させる。
【００２７】
また、図５に示すように、枠体１を反転させて使用するには、ます図４ａに示すように、フック４をフックベース３の中央に配置し、次いで図４ｂに示すように、第２のワイヤー部材２ｂを枠体１の内方に向けて傾倒させるとともに、第１のワイヤー部材２ａを枠体１の外方に向けて起立させる。このとき、各々第１及び第２のワイヤー部材２ａ，２ｂの頂部に連結されているフックベース３も揺動しながら傾倒される。
【００２８】
さらに、図４ｃに示すように、第２のワイヤー部材２ｂを枠体１の内方に向けて傾倒させるとともに、第１のワイヤー部材２ａを枠体１の内方に傾倒させる。このとき、各々第１及び第２のワイヤー部材２ａ，２ｂの頂部に連結されているフックベース３は、枠体１に対して垂直となる。
【００２９】
そして、図４ｄに示すように、第２のワイヤー部材２ｂを枠体１上に当接させるとともに、第１のワイヤー部材２ａをさらに枠体１の内方に傾倒させる。このとき、各々第１及び第２のワイヤー部材２ａ，２ｂの頂部に連結されているフックベース３は、第１のワイヤー部材２ａの頂部に連結されている端部が、枠体１の外方に傾倒して、上下の位置が反転する。
【００３０】
最後に、第１のワイヤー部材２ａを枠体１上の第２のワイヤー部材２ｂに当接させる。このとき、各々第１及び第２のワイヤー部材２ａ，２ｂの頂部に連結されているフックベース３は、上下が完全に反転した状態になる。そして、図５に示すように、枠体１を反転させることで、フック４の頂部と枠体１との距離の短い物干し具となる。
【００３１】
上述の実施形態の物干し具によれば、第１及び第２のワイヤー部材２ａ，２ｂは、枠体１上に回動自在に立設されているために、フック４の位置を壁ｔや窓ｓなどの障害物に寄せることができ、枠体１を簡単な操作によって、水平状態に保つことができる。また、吊持部材を起立可能な一対の第１及び第２のワイヤー部材２ａ，２ｂで形成しているために、フックベース３を任意の位置に保持することが可能となり、鴨居ｈやカーテンレールｐなどの高い場所に吊す場合には、枠体１の下方を片手で担ぎ上げるようにして行うため、椅子や脚立を使う必要がない。
【００３２】
さらに、フックベース３は、吊持部材の回動する方向へ揺動自在に形成されているとともに、フック４は、フックベース３の長手方向に移動可能に設けられているために、上記吊持部材を折り畳んで収納する際に、枠体１の面内に体裁よく納めることができる。また、フックベース３は、折り畳んだときに、長手方向の上下を１８０°反転させることができるため、枠体１自体を１８０°反転させた場合でも使用することができる。このため、低い場所や狭い場所に使用するときに便利である。
【００３３】
また、フック４は、フックベース３の中心から、上記長手方向の端部の間を移動自在に設けられているため、吊す位置と障害となる壁ｔや窓ｓとの距離が、使用状況により変わった場合でも、上記位置を簡単に移動させることができ、枠体１の水平状態の細かな調整を行うことができる。
【００３４】
そして、フックベース３は、上記長手方向の両側面に溝部３ａを形成することにより、フック取付部材５に設けられているピン５ｂを挿通させて、フック取付部材５の移動を自在に行うことができる。また、フックベース３の上面に当接する平板部５ａをフック取付部材５に設けることにより、フックベース３の長手方向の傾倒を防ぐことができるとともに、フックベース３の端部において、フック取付部材５を上記長手方向の外方に、フック取付部材５に設けられているピン５ｂを中心に回動自在に形成させることにより、フック４を鴨居ｈやカーテンレールｐなどに吊すときに、枠体１の水平状態を保つための調整を簡単な操作で行うことができる。
【００３５】
また、枠体１の対向する長辺の中心部に架設されている二本の補強部材７は、重い対象物をピンチｋに吊した場合に、枠体１の捻れや曲がりを防止するとともに、物干し具を鴨居ｈやカーテンレールｐなどの高い場所に吊るす場合に、枠体１の下方から片手で簡単に担ぎ上げるのときに利用することができる。
【００３６】
さらに、ピンチ取付部１ａは、枠体１の内側面に形成されていることにより、第１及び第２のワイヤー部材２ａ，２ｂを折り畳み、枠体１を１８０°反転させて使用する場合に、ピンチｋが絡んだりせずに垂下させることができる。
【００３７】
なお、上記実施の形態では、第１及び第２のワイヤー部材２ａ，２ｂを剛性を有する針金を用いた場合についてのみ説明したが、これに限定されるものではなく、例えば、剛性を有するプラスチックタイプのものでも対応可能である。また、枠体１についても、長方形でアルミパイプを用いた場合についてのみ説明したが、これに限定されるものではなく、例えば、素材をスチールタイプやプラスチックタイプのものでも対応可能であり、形状も環状であれば、正方形や円形のものでも対応可能である。
【図面の簡単な説明】
【００３８】
【図１】本発明の物干し具の全体を示す斜視図である。
【図２】本発明の一実施形態のフックベースの構成を示し、（ａ）は正面断面図、（ｂ）は側面断面図である。
【図３】本発明の一実施形態のフックの移動を示す正面図である。
【図４】本発明の一対のワイヤ一部材の折り畳み手順を示す説明図である。
【図５】本発明の一実施形態の枠体を反転した状態を示す斜視図である。
【図６】本発明の物干し具を鴨居に吊した状態を示す説明図である。
【図７】本発明の物干し具をカーテンレールに吊した状態を示す説明図である。
【図８】本発明の物干し具を下から担ぎ上げて吊す状態を示す斜視図である。
【符号の説明】
【００３９】
１  枠体
１ａ  ピンチ取付部
２ａ  第１のワイヤー部材
２ｂ  第２のワイヤー部材
３  フックベース
３ａ  溝部
３ｂ  長孔
４  フック
５  フック取付部材
５ａ  平板部
５ｂ  ピン
５ｃ  脚部
６  角隅部
７  補強部材
ｋ  ピンチ
ｐ  カーテンレール
ｓ  窓
ｈ  鴨居
ｔ  壁
【図１】
2009011487.tif 000003
【図２】
2009011487.tif 000004
【図３】
2009011487.tif 000005
【図４】
2009011487.tif 000006
【図５】
2009011487.tif 000007
【図６】
2009011487.tif 000008
【図７】
2009011487.tif 000009
【図８】
2009011487.tif 000010